(57)【要約】【課題】  テーブルに設けられたスリット状の紙幣投入口から紙幣挿入板で二つ折りの状態で押し込まれた紙幣を収集する。【解決手段】  紙幣挿入板２で二つ折りの状態で押し込まれた少なくとも1枚の紙幣１を含む紙幣束１ａを受ける紙幣受け部３と、紙幣受け部３に到達した紙幣束１ａの一端を上から押さえつける押さえ手段４と、紙幣受け部３の後段側に設けられ、押さえ手段４の押さえ面に沿って紙幣束１ａを摩擦により搬送する繰り出し部材５と、繰り出し部材５により搬送される紙幣束１ａの上面側かつ押さえ手段４の後段側に設けられ、移動している紙幣束１ａの上面を摩擦により規制して、繰り出し部材５が紙幣束１ａの下面側から紙幣１を一枚ずつ搬送するようにする阻止部材６とを備えた。【選択図】      図１
2005092359.tif 000002
【特許請求の範囲】
【請求項１】
テーブルに設けられたスリット状の紙幣投入口から紙幣挿入板で二つ折りの状態で押し込まれた紙幣を収集する紙幣収集装置であって、
紙幣挿入板で二つ折りの状態で押し込まれた少なくとも1枚の紙幣を含む紙幣束を受ける紙幣受け部と、
紙幣受け部に到達した紙幣束の一端を上から押さえつける押さえ手段と、
紙幣受け部の後段側に設けられ、押さえ手段の押さえ面に沿って紙幣束を摩擦により搬送する繰り出し部材と、
繰り出し部材により搬送される紙幣束の上面側かつ押さえ手段の後段側に設けられ、移動している紙幣束の上面を摩擦により規制して、繰り出し部材が紙幣束の下面側から紙幣を一枚ずつ搬送するようにする阻止部材と
を備えたことを特徴とする紙幣収集装置。
【請求項２】
上記繰り出し部材により搬送された紙幣を整列させる幅寄せ手段を備えていることを特徴とする請求項１記載の紙幣収集装置。
【請求項３】
上記幅寄せ手段は、紙幣の面側において、紙幣を搬送する加圧搬送状態と、紙幣が位置変更可能に圧力を緩める減圧状態との間で、紙幣の面に接する圧力を周期的に変更可能な面側ローラと、
紙幣の左右の縁部側において、紙幣を幅寄せする幅寄せ状態と、紙幣が面側ローラにより搬送可能に縁部に対する圧力を緩める搬送許容状態との間で、紙幣の縁部に接する圧力を周期的に変更可能な縁部側ローラとを備えていることを特徴とする請求項２に記載の紙幣収集装置。
【請求項４】
上記押さえ手段は、紙幣束に対して左右に一つずつ設けられていることを特徴とする請求項１ないし請求項３のいずれかに記載の紙幣収集装置。
【請求項５】
上記テーブルは、テーブルゲームで使用されるものであり、
上記紙幣投入口は、このテーブルゲームで使用されるトークンチップを受け入れ可能なものであり、
上記紙幣投入口と紙幣受け部との間に、トークンチップをトークンチップ搬送ルートに受け入れるトークンチップ受け入れ姿勢と、紙幣挿入板で押し込まれることにより向きを変更して紙幣を紙幣受け部に受け入れる紙幣受け入れ姿勢との間で、弾性的に姿勢変更可能であるフラッパーを備えたことを特徴とする請求項１ないし請求項４のいずれかに記載の紙幣収集装置。
【請求項６】
収集された紙幣の種別を認識する紙幣種別認識部を備えたことを特徴とする請求項１ないし請求項５のいずれかに記載の紙幣収集装置。
【発明の詳細な説明】
【技術分野】
【０００１】
本発明は、スリット状の紙幣投入口から押し込まれた紙幣を収集する紙幣収集装置に関するものである。
【背景技術】
【０００２】
例えばカジノなどの遊技場においては、テーブル上で賭けを行うゲームが行われ、遊技媒体としてトークンチップが用いられるが、これら遊技場の中にはこのトークンチップをテーブルゲームのディーラを相手にしてテーブル上で金銭と交換できるシステムになっているところがある。
【０００３】
このようなシステムにおいては、トークンチップと交換された紙幣は、従来はテーブルゲームのテーブルに設けられたスリット状の紙幣投入口から紙幣挿入板で二つ折りの状態で押し込まれ、テーブルの下に設けられた紙幣収集箱に落下することにより収集されるようになっていた。
【発明の開示】
【発明が解決しようとする課題】
【０００４】
しかしながら、上述の紙幣収集箱では、ただ二つ折りの状態で押し込まれ、紙幣収集箱に落下して収集されるだけであったので、収集された紙幣は紙幣収集箱の中で乱雑な状態となり、収集した後に紙幣の分別や金額の計算などを実行する際に極めて効率が悪いという問題があった。
【０００５】
本発明は上記不具合に鑑みてなされたものであり、二つ折りの状態で押し込まれた紙幣束であっても、紙幣種別認識部など後段に設けられた装置において、紙幣の操作や処理を行うことができる紙幣収集装置を提供することを課題としている。
【０００６】
なお、本願に記載する紙幣収集装置は、上述の紙幣収集装置の従来技術のいずれにも該当せず、出願人の知る限りでは本願出願に類する公知例が無いため、本出願の時点では開示すべき先行技術文献情報は保有していない。
【課題を解決するための手段】
【０００７】
上記課題を解決するための本発明は、テーブルに設けられたスリット状の紙幣投入口から紙幣挿入板で二つ折りの状態で押し込まれた紙幣を収集する紙幣収集装置であって、紙幣挿入板で二つ折りの状態で押し込まれた少なくとも1枚の紙幣を含む紙幣束を受ける紙幣受け部と、紙幣受け部に到達した紙幣束の一端を上から押さえつける押さえ手段と、紙幣受け部の後段側に設けられ、押さえ手段の押さえ面に沿って紙幣束を摩擦により搬送する繰り出し部材と、繰り出し部材により搬送される紙幣束の上面側かつ押さえ手段の後段側に設けられ、移動している紙幣束の上面を摩擦により規制して、繰り出し部材が紙幣束の下面側から紙幣を一枚ずつ搬送するようにする阻止部材とを備えたことを特徴とする紙幣収集装置である。
【０００８】
本発明によれば、紙幣受け部が、二つ折りの状態で押し込まれた紙幣束を受けるとともに、押さえ手段が、紙幣束の一端を上から押さえつけ、また、繰り出し部材が、押さえ手段の押さえ面に沿って紙幣束を摩擦により搬送する。そして、繰り出し部材と阻止部材とが協働して紙幣束の下面側から紙幣を一枚ずつ搬送するようにするので、二つ折りの状態で押し込まれた紙幣束であっても、紙幣種別認識部など後段に設けられた装置において、効率良く紙幣の操作や処理を行うことができるようになる。
【０００９】
上記紙幣収集装置は、繰り出し部材により搬送された紙幣を整列させる幅寄せ手段を備えていることが好ましい。
【００１０】
この好ましい態様によれば、幅寄せ手段により繰り出し部材により搬送された紙幣を整列させるので、後段に設けられた装置において、より効率良く操作や処理を行うことができる。
【００１１】
上記幅寄せ手段は、紙幣の面側において、紙幣を搬送する加圧搬送状態と、紙幣が位置変更可能に圧力を緩める減圧状態との間で、紙幣の面に接する圧力を周期的に変更可能な面側ローラと、紙幣の左右の縁部側において、紙幣を幅寄せする幅寄せ状態と、紙幣が面側ローラにより搬送可能に縁部に対する圧力を緩める搬送許容状態との間で、紙幣の縁部に接する圧力を周期的に変更可能な縁部側ローラとを備えていることが好ましい。
【００１２】
この好ましい態様によれば、縁部側ローラが、紙幣の左右の縁部側において、縁部に対する圧力を緩める搬送許容状態の間に、面側ローラが、紙幣の面側において、紙幣を搬送する加圧搬送状態となるので、この間に紙幣を搬送することができる。また、面側ローラが、圧力を緩めて紙幣の位置を変更することが可能な減圧状態の間に、縁部側ローラが、幅寄せ状態となるので、この間に紙幣を幅寄せすることができる。その結果、紙幣を搬送しながら効率良く整列させることができる。
【００１３】
また、上記押さえ手段は、紙幣束に対して左右に一つずつ設けられていることが好ましい。
【００１４】
この好ましい態様によれば、押さえ手段が、紙幣束に対して左右に一つずつ設けられているので、左右均等に同じタイミングで紙幣受け部に到達した紙幣束の一端を上から押さえつけることができる結果、繰り出し部材の上において紙幣の偏りを少なくすることができる。
【００１５】
さらに、上記テーブルは、テーブルゲームで使用されるものであり、上記紙幣投入口は、このテーブルゲームで使用されるトークンチップを受け入れ可能なものであり、上記紙幣投入口と紙幣受け部との間に、トークンチップをトークンチップ搬送ルートに受け入れるトークンチップ受け入れ姿勢と、紙幣挿入板で押し込まれることにより向きを変更して紙幣を紙幣受け部に受け入れる紙幣受け入れ姿勢との間で、弾性的に姿勢変更可能であるフラッパーを備えていることが好ましい。
【００１６】
この好ましい態様によれば、紙幣投入口と紙幣受け部との間にトークンチップ受け入れ姿勢と、紙幣受け入れ姿勢との間で、弾性的に姿勢変更可能なフラッパーを設けているので、紙幣とトークンチップとを同じ紙幣投入口に投入しながらこれらを別々に収集あるいは処理することができる。
【００１７】
さらに、収集された紙幣の種別を認識する紙幣種別認識部を備えていることが好ましい。
【００１８】
この好ましい態様によれば、収集された紙幣の種別を認識する紙幣種別認識部を備えているので、例えば紙幣の真偽判定、金額の計算など、種々の処理が可能となる。
【発明の効果】
【００１９】
以上説明したように、本発明によれば、二つ折りの状態で押し込まれた紙幣束であっても、紙幣種別認識部など後段に設けられた装置において、紙幣の操作や処理を行うことができるようになるという顕著な効果を奏する。
【発明を実施するための最良の形態】
【００２０】
以下、添付図面を参照しながら本発明の好ましい実施の一形態について詳述する。図１は、本発明の実施の形態に係る紙幣収集装置１０の構成を示す側面図であり、図２は、本発明の実施の形態に係る紙幣収集装置１０の構成を示す平面図である。また、図３は、本発明の実施の形態に係る紙幣収集装置１０の構成を示す正面図である。
【００２１】
図１〜図３を参照して、図示の本発明の実施の形態に係る紙幣収集装置１０は、例えばカジノなどの遊技場のテーブルゲームにおいて、テーブル上でディーラを相手に遊技媒体のトークンチップと交換された紙幣を収集するものである。この紙幣収集装置１０は、ステンレス板を組み上げて構成された架台１１を有し、この架台１１に、紙幣挿入板２で押し込まれた紙幣束１ａ（図１０参照）を受ける紙幣受け部３と、この紙幣受け部３に到達した紙幣束１ａの一端を上から押さえつける押さえ手段４と、押さえ手段４の押さえ面に沿って紙幣束１ａを摩擦により搬送する繰り出し部材５と、押さえ手段４の後段側に設けられた阻止部材６とを備えている。
【００２２】
また、この紙幣収集装置１０は、繰り出し部材５により搬送された紙幣１を整列させる幅寄せ手段７と、さらに、架台１１の下方に、収集された紙幣１の種別を認識する紙幣種別認識部８を備えている。
【００２３】
上記紙幣１は、テーブルゲームのテーブル上で、ディーラを相手にして賭けの遊技媒体としてのトークンチップと交換されたものであり、本実施形態においては、一般に流通している紙幣が対象になっている。また、その他、例えば遊技場においてのみ使用可能な金額を表示したチケットなども紙幣１として使用することができる。
【００２４】
上記紙幣挿入板２は、木製もしくは合成樹脂性の円筒状の把持部２ａと、同じく木製もしくは合成樹脂性の平板状の挿入部２ｂとを備えている。そしてこの紙幣挿入板２は、図略のテーブルの表面に埋め込まれた板状の投入部２ｃに設けられたスリット状の紙幣投入口２ｄから、図４〜図６に示すように、少なくとも1枚の紙幣１を含む紙幣束１ａを二つ折りの状態で、紙幣収集装置１０に押し込むことができるように構成されている。
【００２５】
なお、紙幣投入口２ｄは、紙幣束１ａのほかに図略のトークンチップを受け入れ可能になっており、この紙幣投入口２ｄと紙幣受け部３との間には、紙幣束１ａとトークンチップとを振り分けるフラッパー２ｅが設けられている。すなわち、このフラッパー２ｅは、受け入れたトークンチップを搬送板２ｈを経由してトークンチップ収集箱２ｇに受け入れるトークンチップ受け入れ姿勢と、紙幣挿入板２で押し込まれることにより向きを変更して紙幣束１ａを紙幣受け部３に受け入れる紙幣受け入れ姿勢との間で、弾性的に姿勢を変更することができるようになっている。そして、紙幣投入口２ｄから押し込まれた紙幣束１ａは、フラッパー２ｅを押し開け、ステンレスの板で構成されるガイド２ｆに沿って下方の紙幣受け部３に供給される。
【００２６】
上記紙幣受け部３は、紙幣挿入板２で二つ折りの状態で押し込まれた紙幣束１ａの折り目の部分を受ける部材であり、ステンレス板で構成されている。この紙幣受け部３において、紙幣束１ａはガイド２ｆを離れることにより、自らの復元力で二つ折りの状態から広がるようになっている。
【００２７】
なお、図１〜図３では図を省略しているが、この紙幣受け部３の上方には、図７〜図９に示すように、紙幣束１ａの折り目の部分に当接することにより紙幣束１ａの挿入を検知するためのレバー３ａとリミットスイッチ３ｂとが設けられている。
【００２８】
上記押さえ手段４は、ステンレスなどの金属板を組み立てて構成されたものであり、紙幣束１ａの一端を押さえる押さえ板４ａと、この押さえ板４ａを開口４ｂを通って架台１１の外から紙幣束１ａの上部に回動させるアーム４ｃと、アーム４ｃの回動軸４ｄと、回動軸４ｄを支持するとともに架台１１に取り付けられるベース４ｅとを備え、紙幣束１ａに対して左右に一つずつとなるように架台１１に設けられている。そして図略の駆動手段により駆動されてアーム４ｃが軸４ｄの周りに回動することにより、紙幣受け部３に到達し自らの復元力で広がろうとする紙幣束１ａの一端を繰り出し部材５に押さえつけるようになっている。
【００２９】
上記繰り出し部材５は、紙幣受け部３の後段側に複数個並列に設けられた一般にフリクションローラと呼ばれる円筒状の部材であり、円筒面にはゴムなどの摩擦係数の高い材料が用いられている。そして、それぞれの繰り出し部材５は、図略の駆動手段により駆動されて回転することにより、押さえ手段４の押さえ面に沿って紙幣束１ａを摩擦で搬送するように構成されている。
【００３０】
上記阻止部材６は、繰り出し部材５により搬送される紙幣束１ａの上面側かつ押さえ手段４の後段側に設けられた一般に静止フリクションローラと呼ばれる複数個の円筒状の部材である。この阻止部材６も、円筒面にゴムなどの摩擦係数の高い材料が用いられているが、静止した状態を維持することにより、移動している紙幣束１ａの上面を摩擦により静止側に規制して下方の繰り出し部材５が紙幣束１ａの下面側から紙幣１を一枚ずつ搬送することができるようになっている。
【００３１】
上記幅寄せ手段７は、繰り出し部材５により搬送された紙幣１を、後段の紙幣種別認識部８で受け入れ可能に整列させるものである。この幅寄せ手段７は、本実施形態においては、面側ローラ７ａと、縁部側ローラ７ｂとの２種類の異形ローラにより紙幣１を、整列させるように構成されている。また、幅寄せ手段７には、架台１１の下に設けられた紙幣種別認識部８の紙幣供給ガイド８ａに紙幣１を供給するために、紙型１の向きを１８０度方向転換する半割円筒状のガイド板７ｃが設けられており、紙幣１は、このガイド板７ｃに沿って搬送されながら面側ローラ７ａと、縁部側ローラ７ｂとにより整列されるようになっている。
【００３２】
ここで、面側ローラ７ａは、軸心から押圧面までの距離が均等でないローラ形状をしており、紙幣１の面側において紙幣１を搬送する加圧搬送状態と、紙幣１が位置変更可能に圧力を緩める減圧状態との間で紙幣１の面に接する圧力を周期的に変更することができるようになっている。
【００３３】
また、縁部側ローラ７ｂは、円形の３方をカットした断面形状にすることにより（図２、図３参照）軸心から押圧面までの距離が均等でないローラ形状を形成している。そして、紙幣１の左右の縁部側において紙幣１を幅寄せする幅寄せ状態と、縁部に対する圧力を緩めて紙幣１を面側ローラ７ａにより搬送することができるようにする搬送許容状態との間で紙幣１の縁部に接する圧力を周期的に変更することができるようになっている。
【００３４】
そして、面側ローラ７ａが減圧状態の時、縁部側ローラ７ｂが幅寄せ状態、面側ローラ７ａが加圧状態の時、縁部側ローラ７ｂが搬送許容状態となるように、同期回転のタイミングが調整されている。
【００３５】
上記紙幣種別認識部８は、収集された紙幣１の種別を認識して総額を計算する装置であり、これによりテーブルごとの売上金額を短時間のうちに把握することができるようになっている。
【００３６】
次に図４〜図１４を参照して、本発明の実施の形態に係る紙幣収集装置１０の作用について説明する。
【００３７】
図４は、本発明の実施の形態に係る紙幣収集装置１０の紙幣挿入板２の挿入部２ｂが、投入部２ｃに置かれた紙幣束１ａの中ほどに当接した状態を、図５は、紙幣挿入板２が、投入部２ｃの紙幣投入口２ｄから紙幣束１ａの中ほどを押し込んだ状態を、図６は、紙幣挿入板２が、投入部２ｃの紙幣投入口２ｄから紙幣束１ａを紙幣収集装置１０に押し込む状態を示す側面図であり、図７は、図６の状態の正面図である。
【００３８】
これらの図に示すように、紙幣束１ａは、紙幣挿入板２により投入部２ｃの紙幣投入口２ｄから紙幣収集装置１０に二つ折りの状態で押し込まれる。
【００３９】
次に、図８は、紙幣束１ａの折り目の部分がレバー３ａの押し下げを開始した状態を、図９は、レバー３ａがリミットスイッチ３ｂに当接して紙幣束１ａの挿入を検知した状態を示す正面図である。
【００４０】
これらの図に示すように、紙幣束１ａがレバー３ａを押し下げ、レバー３ａがリミットスイッチ３ｂに当接することにより、詳細な説明は省略するが、紙幣束１ａが供給されたことを検知する。そして、押さえ手段４と繰り出し部材５と幅寄せ手段７とに関する図略の駆動手段が起動して以下に述べるような紙幣束１ａの搬送が開始される。
【００４１】
図１０は、紙幣束１ａが、紙幣受け部３に到達し、ガイド２ｆを離れて自らの復元力で広がった状態を示す側面図であり、図１１は、図１０の状態の正面図である。
【００４２】
また、図１２は、自らの復元力で広がった紙幣束１ａの一端を、左右に一つずつ設けられている押さえ手段４が、上から押さえつけた状態を示す正面図であり、図１３は、図１２の状態の側面図である。
【００４３】
そして、図１４は、繰り出し部材５が、図略の駆動手段により回転することにより、押さえ手段４の押さえ面に沿って紙幣束１ａを摩擦で搬送する状態を示している。この時、押さえ手段４の後段側に設けられた阻止部材６が、静止した状態を維持することにより、移動している紙幣束１ａの上面を摩擦により規制して下方の繰り出し部材５が紙幣束１ａの下面側から紙幣１を一枚ずつ搬送する。
【００４４】
そして、図１５は、幅寄せ手段７が、繰り出し部材５により搬送された紙幣１を、一枚ずつ面側ローラ７ａと、縁部側ローラ７ｂとの２種類の異形ローラにより後段の紙幣種別認識部８で受け入れ可能に整列させる状態を示している。
【００４５】
すなわち、面側ローラ７ａは、紙幣１の面側において紙幣１を搬送する加圧搬送状態と、紙幣１が位置変更可能に圧力を緩める減圧状態との間で紙幣１の面に接する圧力を周期的に変更する。
【００４６】
また、縁部側ローラ７ｂは、紙幣１の左右の縁部側において紙幣１を幅寄せする幅寄せ状態と、紙幣１を面側ローラ７ａにより搬送することができるように、縁部に対する圧力を緩める搬送許容状態との間で紙幣１の縁部に接する圧力を周期的に変更する。
【００４７】
以上説明したように、本発明の実施の形態に係る紙幣収集装置１０によれば紙幣受け部３が、二つ折りの状態で押し込まれた紙幣束１ａを受けるとともに、押さえ手段４が紙幣束１ａの一端を上から押さえつけ、また、繰り出し部材５が、押さえ手段４の押さえ面に沿って紙幣束１ａを摩擦により搬送する。そして、繰り出し部材５と阻止部材６とが協働して紙幣束１ａの下面側から紙幣１を一枚ずつ搬送するようにするので、二つ折りの状態で押し込まれた紙幣束１ａであっても紙幣種別認識部８など後段に設けられた装置において、効率良く紙幣１の操作や処理を行うことができるようになる。
【００４８】
また、幅寄せ手段７により繰り出し部材５により搬送された紙幣１を整列させるので、後段に設けられた装置において、より効率良く操作や処理を行うことができる。
【００４９】
また、縁部側ローラ７ｂが紙幣１の左右の縁部側において、縁部に対する圧力を緩める搬送許容状態の間に、面側ローラ７ａが紙幣１の面側において紙幣１を搬送する加圧搬送状態となるので、この間に紙幣１を搬送することができる。また、面側ローラ７ａが、圧力を緩めて紙幣１の位置を変更することが可能な減圧状態の間に、縁部側ローラ７ｂが、幅寄せ状態となるので、この間に紙幣１を幅寄せすることができる。その結果紙幣１を搬送しながら効率良く整列させることができる。
【００５０】
また、押さえ手段４が紙幣束１ａに対して左右に一つずつ設けられているので、左右均等に同じタイミングで紙幣受け部３に到達した紙幣束１ａの一端を上から押さえつけることができる結果、繰り出し部材５の上において紙幣１の偏りを少なくすることができる。
【００５１】
また、紙幣挿入板２を紙幣投入口２ｄから抜き出すと、フラッパー２ｅが、トークンチップ受け入れ姿勢（フラッパー２ｅの先端が、搬送板２ｈの始端に近接する状態）となり、この状態でトークンチップを紙幣投入口２ｄから投入すると、トークンチップがと、フラッパー２ｅと搬送板２ｈを経由してトークンチップ収集箱２ｇに収集される。
【００５２】
このように、紙幣投入口２ｄと紙幣受け部３との間にトークンチップ受け入れ姿勢と紙幣１受け入れ姿勢との間で、弾性的に姿勢変更可能なフラッパー２ｅを設けているので紙幣１とトークンチップとを同じ紙幣投入口２ｄに投入しながら別々に収集あるいは処理することができる。
【００５３】
そして、収集された紙幣１の種別を認識する紙幣種別認識部８を備えているので、例えば紙幣１の真偽判定、金額の計算など、種々の処理が可能となる。
【００５４】
上述した実施の形態は本発明の好ましい具体例を例示したものに過ぎず、本発明は上述した実施の形態に限定されない。
【００５５】
例えば、本発明に係る紙幣収集装置１０は、カジノなどの遊技場のテーブルゲームにおいて、テーブル上でディーラを相手に遊技媒体のトークンチップと交換された紙幣を収集するものに必ずしも限定されない。二つ折りの状態で押し込まれた紙幣束１ａを収集するものであれば、その他の状況に適用可能である。
【００５６】
次に、本発明に係る紙幣収集装置１０としては、必ずしもトークンチップを受け入れ可能になっている必要はなく、フラッパー２ｅや搬送板２ｈ、トークンチップ収集箱２ｇなどは必須ではない。
【００５７】
また、繰り出し部材５は、フリクションローラに限らず、フリクションベルトなども採用可能であるなど、種々の設計変更が可能である。
【００５８】
さらに、阻止部材６も、静止フリクションローラに限らず、静止フリクションベルトなども採用可能であるなど、種々の設計変更が可能である。
【００５９】
そして、幅寄せ手段７も、必ずしも面側ローラ７ａと、縁部側ローラ７ｂとの２種類の異形ローラにより紙幣１を、整列させるような構成に限定されない。繰り出し部材５により搬送された紙幣１を、後段の紙幣種別認識部８で受け入れ可能に整列させるものであれば、両側部に設けられた板状のガイドで幅寄せするなど、種々の設計変更が可能である。
【００６０】
その他、本発明の特許請求の範囲内で種々の設計変更が可能であることはいうまでもない。
【図面の簡単な説明】
【００６１】
【図１】本発明の実施の形態に係る紙幣収集装置の構成を示す側面図である。
【図２】本発明の実施の形態に係る紙幣収集装置の構成を示す平面図である。
【図３】本発明の実施の形態に係る紙幣収集装置の構成を示す正面図である。
【図４】本発明の実施の形態に係る紙幣収集装置の紙幣挿入板の挿入部が、投入部に置かれた紙幣束の中ほどに当接した状態を示す側面図である。
【図５】紙幣挿入板が、投入部の紙幣投入口から紙幣束の中ほどを押し込んだ状態を示す側面図である。
【図６】紙幣挿入板が、投入部の紙幣投入口から紙幣束を紙幣収集装置に押し込む状態を示す側面図である。
【図７】図６の状態の正面図である。
【図８】紙幣束の折り目の部分がレバーの押し下げを開始した状態を示す正面図である。
【図９】レバーがリミットスイッチに当接して紙幣束の挿入を検知した状態を示す正面図である。
【図１０】紙幣束が、紙幣受け部に到達し、ガイドを離れて自らの復元力で広がった状態を示す側面図である。
【図１１】図１０の状態の正面図である。
【図１２】自らの復元力で広がった紙幣束の一端を、左右に一つずつ設けられている押さえ手段が、上から押さえつけた状態を示す正面図である。
【図１３】図１２の状態の側面図である。
【図１４】繰り出し部材が、図略の駆動手段により回転することにより、押さえ手段の押さえ面に沿って紙幣束を摩擦で搬送する状態を示す側面図である。
【図１５】幅寄せ手段が、繰り出し部材により搬送された紙幣を、一枚ずつ面側ローラと、縁部側ローラとの２種類の異形ローラにより後段の紙幣種別認識部で受け入れ可能に整列させる状態を示す側面図である。
【符号の説明】
【００６２】
１      紙幣
１ａ    紙幣束
２      紙幣挿入板
２ｄ    紙幣投入口
２ｅ    フラッパー
３      紙幣受け部
４      押さえ手段
５      繰り出し部材
６      阻止部材
７      幅寄せ手段
７ａ    面側ローラ
７ｂ    縁部側ローラ
８      紙幣種別認識部
１０    紙幣収集装置
【図１】
2005092359.tif 000003
【図２】
2005092359.tif 000004
【図３】
2005092359.tif 000005
【図４】
2005092359.tif 000006
【図５】
2005092359.tif 000007
【図６】
2005092359.tif 000008
【図７】
2005092359.tif 000009
【図８】
2005092359.tif 000010
【図９】
2005092359.tif 000011
【図１０】
2005092359.tif 000012
【図１１】
2005092359.tif 000013
【図１２】
2005092359.tif 000014
【図１３】
2005092359.tif 000015
【図１４】
2005092359.tif 000016
【図１５】
2005092359.tif 000017